(57)【要約】【課題】  電話を掛けてきたユーザに対して、電話を受け取ったユーザ側が設定した通話状況を擬似的に演出することで、通話をより楽しいものとする。【解決手段】  メモリ１５には、例えば職場の環境音、電車内の環境音等の所望の通話状況を演出するための重畳音データが記憶されている。制御部１６は、当該携帯電話機のユーザにより時間帯、及びこの時間帯に対応する重畳音データが指定されると、これらを関連付けて重畳出力テーブル１４に登録する。また、制御部１６は、メモリ１５の電話帳に登録されているユーザのうち、当該携帯電話機のユーザにより指定されたユーザを、通話状況の演出処理を行う対象ユーザとして、該電話帳にフラグを立てる。そして、重畳出力テーブル１４に登録されている時間帯に着信のあったユーザが上記対象ユーザであった場合、送話音声に、この時間帯に設定されている重畳音データを重畳して送信する。【選択図】  図１
2007110255.tif 000002
【特許請求の範囲】
【請求項１】
ユーザ間で音声を送受信することで通話を行う電話機能、及び／又は、ユーザ間で音声及びカメラ機能で撮像された画像を送受信することで通話を行う画像付き電話機能を備えた携帯端末装置であって、
通話相手となる各ユーザの少なくともユーザ名及び電話番号が登録された電話帳と、
上記電話帳に登録されたユーザのうち、重畳処理対象となるユーザを重畳処理対象ユーザとして設定する対象ユーザ設定手段と、
所望の状況に対応する重畳出力と、該重畳出力の重畳処理を行う所望の時間帯とを関連付けて記憶する重畳出力設定テーブルと、
現在時刻をカウントするタイマと、
発信、及び／又は、着信を検出する発着信検出手段と、
上記発着信検出手段により発信、又は着信が検出された際に、該発信する電話番号、又は該着信した電話番号に基づいて上記電話帳を参照し、該電話番号に対応するユーザが、上記重畳処理対象ユーザとして設定されているか否かを判別する対象ユーザ判別手段と、
上記対象ユーザ判別手段により、上記電話番号に対応するユーザが上記重畳処理対象ユーザとして設定されているものと判別された場合に、上記タイマでカウントされている現在時刻が属する時間帯に対応する重畳出力を上記重畳出力設定テーブルから読み出し、この読み出した重畳出力を、上記重畳処理対象ユーザに対する送信出力に重畳処理して送信するように送信手段を制御する制御手段と
を有することを特徴とする携帯端末装置。
【請求項２】
請求項１に記載の携帯端末装置であって、
当該携帯端末装置の現在位置を検出する現在位置検出手段と、
上記重畳処理を行う所望の地理的範囲を設定する処理範囲設定手段と
を有し、
上記制御手段は、上記着信検出手段により着信が検出された際に、上記現在位置検出手段で検出された当該携帯端末装置の現在位置が、上記処理範囲設定手段で設定された地理的範囲に属していた場合に、上記重畳出力設定テーブルから読み出した重畳出力を上記送信出力に重畳処理すること
を特徴とする携帯端末装置。
【請求項３】
請求項１又は請求項２に記載の携帯端末装置であって、
上記送信出力が音声である場合、該音声から当該携帯端末装置の周囲の環境音を除去処理し、上記送信出力が音声及び画像である場合、該音声から当該携帯端末装置の周囲の環境音を除去処理すると共に、該画像から背景画像を除去処理する周囲環境除去手段を有し、
上記制御手段は、上記周囲環境除去手段により上記周囲の環境音、及び／又は、上記背景画像が除去処理された上記送信出力に対して上記重畳出力を重畳処理すること
を特徴とする携帯端末装置。
【請求項４】
請求項１から請求項３のうち、いずれか一項に記載の携帯端末装置であって、
発着信した電子メールを記憶する電子メール記憶手段を有し、
上記電話帳には、各ユーザの電話番号と共に、該各ユーザの電子メールアドレスが記憶されており、
上記対象ユーザ設定手段は、上記電子メール記憶手段に記憶されている電子メールのうち、同じ電子メールアドレスを有する電子メールの数を検出し、この同じ電子メールアドレスを有する電子メールの数が所定の数以上の電子メールの電子メールアドレスに対応するユーザを、上記重畳処理対象ユーザとして上記電話帳に自動的に設定すること
を特徴とする携帯端末装置。
【請求項５】
請求項１から請求項４のうち、いずれか一項に記載の携帯端末装置であって、
発信履歴、及び／又は、着信履歴を記憶する履歴記憶手段を有し、
上記対象ユーザ設定手段は、上記履歴記憶手段に記憶されている発信履歴、及び／又は、着信履歴から、同じユーザに対応する発信件数、及び／又は、着信件数を検出し、この発信件数、及び／又は、着信件数が所定の件数以上のユーザを、上記重畳処理対象ユーザとして上記電話帳に自動的に設定すること
を特徴とする携帯端末装置。
【請求項６】
請求項４又は請求項５に記載の携帯端末装置であって、
上記電子メール記憶手段に記憶されている電子メールの文章情報から、状況を示すキーワード、及び時間帯を示すキーワードを検出するキーワード検出手段を有し、
上記制御手段は、上記キーワード検出手段で検出された時間帯を示すキーワードに対応する時間帯と、上記状況を示すキーワードに対応する上記重畳出力とを関連付けて、上記重畳出力設定テーブルに自動的に設定すること
を特徴とする携帯端末装置。
【請求項７】
ユーザ間で音声を送受信することで通話を行う電話機能、及び／又は、ユーザ間で音声及びカメラ機能で撮像された画像を送受信することで通話を行う画像付き電話機能を備えた携帯端末装置の通話状況を演出する通話状況演出プログラムであって、
通話相手となる各ユーザの少なくともユーザ名及び電話番号が登録された電話帳に対して、重畳処理対象となるユーザを重畳処理対象ユーザとして設定する対象ユーザ設定手段としてコンピュータを機能させ、
発信、及び／又は、着信を検出する着信検出手段としてコンピュータを機能させ、
上記着信検出手段としてコンピュータを機能させることで発信、又は着信が検出された際に、該発信する電話番号、又は該着信した電話番号に基づいて上記電話帳を参照し、該電話番号に対応するユーザが、上記重畳処理対象ユーザとして設定されているか否かを判別する対象ユーザ判別手段としてコンピュータを機能させ、
コンピュータを上記対象ユーザ判別手段として機能させることで、上記電話番号に対応するユーザが上記重畳処理対象ユーザとして設定されているものと判別された場合に、現在時刻をカウントするタイマでカウントされている現在時刻が属する時間帯に対応する重畳出力を、所望の状況に対応する重畳出力と、該重畳出力の重畳処理を行う所望の時間帯とが関連付けて記憶された重畳出力設定テーブルから読み出し、この読み出した重畳出力を、上記重畳処理対象ユーザに対する送信出力に重畳処理して送信するように送信手段を制御する制御手段としてコンピュータを機能させること
を特徴とする通話状況演出プログラム。
【請求項８】
ユーザ間で音声を送受信することで通話を行う電話機能、及び／又は、ユーザ間で音声及びカメラ機能で撮像された画像を送受信することで通話を行う画像付き電話機能を備えた携帯端末装置の通話状況を演出する通話状況演出方法であって、
対象ユーザ設定手段が、通話相手となる各ユーザの少なくともユーザ名及び電話番号が登録された電話帳に対して、重畳処理対象となるユーザを重畳処理対象ユーザとして設定するステップと、
発着信検出手段が発信、及び／又は、着信を検出するステップと、
上記ステップにおいて上記発着信検出手段で発信、又は着信が検出された際に、対象ユーザ判別手段が、該発信する電話番号、又は該着信した電話番号に基づいて上記電話帳を参照し、該電話番号に対応するユーザが、上記重畳処理対象ユーザとして設定されているか否かを判別するステップと、
上記ステップにおいて上記対象ユーザ判別手段により、上記電話番号に対応するユーザが上記重畳処理対象ユーザとして設定されているものと判別された場合に、制御手段が、現在時刻をカウントするタイマでカウントされている現在時刻が属する時間帯に対応する重畳出力を、所望の状況に対応する重畳出力と、該重畳出力の重畳処理を行う所望の時間帯とが関連付けて記憶された重畳出力設定テーブルから読み出し、この読み出した重畳出力を、上記重畳処理対象ユーザに対する送信出力に重畳処理して送信するように送信手段を制御するステップと
を有することを特徴とする通話状況演出方法。
【発明の詳細な説明】
【技術分野】
【０００１】
本発明は、例えば携帯電話機、ＰＨＳ電話機（PHS：Personal Handyphone System）、無線通信機能を備えたＰＤＡ装置（PDA：Personal Digital Assistant）、ノート型のパーソナルコンピュータ装置等の携帯機器に適用して好適な携帯端末装置、通話状況演出プログラム、及び通話状況演出方法に関し、特に予め指定した特定のユーザから着信があった場合に、この電話を掛けた相手方に対して送信する送信音声に所定の音声を重畳して送信し、或いはテレビ電話通話の場合は、送信音声に所定の音声を、また、送信画像に所定の画像をそれぞれ重畳して送信することにより、電話を受け取ったユーザ側で擬似的な通話場所を演出可能とした携帯端末装置、通話状況演出プログラム、及び通話状況演出方法に関する。
【背景技術】
【０００２】
特開２００１−３１３５８２号における公開特許公報（特許文献１）において、送話音声信号にオーディオ信号をミキシングして送信可能なヘッドフォン型送受信装置が開示されている。
【０００３】
このヘッドフォン型送受信装置の場合、送信側となるヘッドフォン型送受信装置に設けられているＭＰ３プレーヤ（MP3：MPEG Audio Layer-3）で再生されたオーディオ信号と、通話マイクロホン装置で集音され形成された通話音声信号とを、第１ミキサでミキシング処理することで混成信号を形成し、これをトランスミッタを介して受信側となるヘッドフォン型送受信装置に送信する。
【０００４】
これにより、受信側のヘッドフォン型送受信装置においても、送信側のヘッドフォン型送受信装置で聴かれている音楽等を通話音声と共に聴くことができ、送信側及び受信側で通話と共に音楽等のコンテンツの共有が可能となっている。
【０００５】
一方、近年において、携帯電話機が一般に広く普及している。携帯電話機は、ユーザが携帯して使用するものであるため、着信した電話を受信する場所（＝通話場所）も、ユーザの現在位置に応じて変動する。そして、電話を掛けた側のユーザは、通話中に相手の音声と共に聞こえる周囲の環境音等を聞き取ることにより、通話中の相手の通話場所を推測することが可能となる。
【０００６】
【特許文献１】特開２００１−３１３５８２号公報（第５頁〜第６頁：図３）
【発明の開示】
【発明が解決しようとする課題】
【０００７】
ここで、電話を受信するユーザ側で、相手側に送信する送信音声に所望の音声を重畳して送信することができれば、電話が着信したユーザ側で所望の通話場所を擬似的に演出することができ、通話をより楽しいものとすることができる。
【０００８】
本発明は上述の課題に鑑みてなされたものであり、電話を受信するユーザ側で、相手側に送信する送信音声に所望の音声を重畳して送信可能とすることで、電話が着信したユーザ側で所望の通話場所を擬似的に演出することができるような携帯端末装置、通話状況演出プログラム、及び通話状況演出方法の提供を目的とする。
【課題を解決するための手段】
【０００９】
本発明に係る携帯端末装置は、ユーザ間で音声を送受信することで通話を行う電話機能、及び／又は、ユーザ間で音声及びカメラ機能で撮像された画像を送受信することで通話を行う画像付き電話機能を備えた携帯端末装置であって、上述の課題を解決するための手段として、以下の各手段を有する。
【００１０】
すなわち、本発明に係る携帯端末装置は、
通話相手となる各ユーザの少なくともユーザ名及び電話番号が登録された電話帳と、
上記電話帳に登録されたユーザのうち、重畳処理対象となるユーザを重畳処理対象ユーザとして設定する対象ユーザ設定手段と、
所望の状況に対応する重畳出力と、該重畳出力の重畳処理を行う所望の時間帯とを関連付けて記憶する重畳出力設定テーブルと、
現在時刻をカウントするタイマと、
発信、及び／又は、着信を検出する発着信検出手段と、
上記発着信検出手段により発信、及び／又は、着信が検出された際に、該発信する電話番号、又は着信した電話番号に基づいて上記電話帳を参照し、該電話番号に対応するユーザが、上記重畳処理対象ユーザとして設定されているか否かを判別する対象ユーザ判別手段と、
上記対象ユーザ判別手段により、上記電話番号に対応するユーザが上記重畳処理対象ユーザとして設定されているものと判別された場合に、上記タイマでカウントされている現在時刻が属する時間帯に対応する重畳出力を上記重畳出力設定テーブルから読み出し、この読み出した重畳出力を、上記重畳処理対象ユーザに対する送信出力に重畳処理して送信するように送信手段を制御する制御手段と
を有する。
【００１１】
また、本発明に係る通話状況演出プログラムは、ユーザ間で音声を送受信することで通話を行う電話機能、及び／又は、ユーザ間で音声及びカメラ機能で撮像された画像を送受信することで通話を行う画像付き電話機能を備えた携帯端末装置の通話状況を演出する通話状況演出プログラムであって、上述の課題を解決するために、
通話相手となる各ユーザの少なくともユーザ名及び電話番号が登録された電話帳に対して、重畳処理対象となるユーザを重畳処理対象ユーザとして設定する対象ユーザ設定手段としてコンピュータを機能させ、
発信、及び／又は、着信を検出する発着信検出手段としてコンピュータを機能させ、
上記発着信検出手段としてコンピュータを機能させることで発信、又は着信が検出された際に、該発信する電話番号、又は着信した電話番号に基づいて上記電話帳を参照し、該電話番号に対応するユーザが、上記重畳処理対象ユーザとして設定されているか否かを判別する対象ユーザ判別手段としてコンピュータを機能させ、
コンピュータを上記対象ユーザ判別手段として機能させることで、上記電話番号に対応するユーザが上記重畳処理対象ユーザとして設定されているものと判別された場合に、現在時刻をカウントするタイマでカウントされている現在時刻が属する時間帯に対応する重畳出力を、所望の状況に対応する重畳出力と、該重畳出力の重畳処理を行う所望の時間帯とが関連付けて記憶された重畳出力設定テーブルから読み出し、この読み出した重畳出力を、上記重畳処理対象ユーザに対する送信出力に重畳処理して送信するように送信手段を制御する制御手段としてコンピュータを機能させる。
【００１２】
また、本発明に係る通話状況演出方法は、ユーザ間で音声を送受信することで通話を行う電話機能、及び／又は、ユーザ間で音声及びカメラ機能で撮像された画像を送受信することで通話を行う画像付き電話機能を備えた携帯端末装置の通話状況を演出する通話状況演出方法であって、上述の課題を解決するための手段として、以下の各ステップを有する。
【００１３】
すなわち、本発明に係る通話状況演出方法は、
対象ユーザ設定手段が、通話相手となる各ユーザの少なくともユーザ名及び電話番号が登録された電話帳に対して、重畳処理対象となるユーザを重畳処理対象ユーザとして設定するステップと、
発着信検出手段が発信、及び／又は、着信を検出するステップと、
上記ステップにおいて上記発着信検出手段で発信、又は着信が検出された際に、対象ユーザ判別手段が、該発信する電話番号、又は該着信した電話番号に基づいて上記電話帳を参照し、該電話番号に対応するユーザが、上記重畳処理対象ユーザとして設定されているか否かを判別するステップと、
上記ステップにおいて上記対象ユーザ判別手段により、上記電話番号に対応するユーザが上記重畳処理対象ユーザとして設定されているものと判別された場合に、制御手段が、現在時刻をカウントするタイマでカウントされている現在時刻が属する時間帯に対応する重畳出力を、所望の状況に対応する重畳出力と、該重畳出力の重畳処理を行う所望の時間帯とが関連付けて記憶された重畳出力設定テーブルから読み出し、この読み出した重畳出力を、上記重畳処理対象ユーザに対する送信出力に重畳処理して送信するように送信手段を制御するステップと
を有する。
【００１４】
このような本発明は、電話或いは画像付き電話が着信した時間帯に応じて、相手側に送信する送信出力に、予め設定しておいた所望の状況に対応する重畳出力を重畳して送信することで、所望の通話状況を擬似的に演出可能とする。
【発明の効果】
【００１５】
本発明は、電話或いは画像付き電話の着信を受けるユーザ側で、相手側に送信する送信音声に所望の音声を重畳して送信することができ、或いは相手側に送信する送信音声に所望の音声を重畳して送信すると共に、送信画像に所望の画像を重畳して送信することができる。このため、電話或いは画像付き電話が着信したユーザ側で所望の通話場所を擬似的に演出することができ、通話をより楽しいものとすることができる。
【発明を実施するための最良の形態】
【００１６】
本発明は、携帯電話機に適用することができる。
【００１７】
［携帯電話機の構成］
この本発明の実施の形態となる携帯電話機は、図１に示すように基地局との間で無線通信を行うアンテナ１及び通信回路２と、着信音や受話音声の音響出力を得るためのスピーカ部３と、送話音声等を集音するためのマイクロホン部４と、画像（動画像、静止画像等）や文字等を表示するための表示部５と、所定の入力操作を行うための操作部６とを有している。
【００１８】
また、この携帯電話機は、発着信等を光で知らせるための発光部７（LED：Light Emitting Diode）と、所望の被写体の静止画像或いは動画像を撮像するためのカメラ部８と、当該携帯電話機の筐体を振動させて発着信等をユーザに知らせるためのバイブレーションユニット９と、当該携帯電話機の現在位置を検出するＧＰＳアンテナ１０（GPS：Global Positioning System）及びＧＰＳユニット１１と、現在時刻をカウントするタイマ１２と、後述する通話状況の演出を行う際に、マイクロホン部４で集音された音声のうち、ユーザの送話音声以外の周囲環境音等を除去する周囲環境除去処理部１３とを有している。
【００１９】
また、この携帯電話機は、通話状況の演出を行う際に重畳させる出力を指定するための情報が各時間帯毎に記憶された重畳出力設定テーブル１４と、通信処理を行うための通信処理プログラム（コミュニケーションプログラム）や各種アプリケーションプログラム等が記憶されたメモリ１５と、当該携帯電話機全体の動作を制御する制御部１６とを有している。
【００２０】
上記メモリ１５には、上記アプリケーションプログラムとしてマイクロホン部４で集音された送話音声と共に、カメラ部８で撮像された画像を送信する画像付き電話（テレビ電話）を可能とするテレビ電話処理プログラム、ＧＰＳユニット１１の現在位置検出動作を制御するためのＧＰＳ制御プログラム、カメラ部８を撮像制御するためのカメラ制御プログラム、音楽データを再生するための音楽プレーヤプログラムの他、上記通話状況の演出を行うための通話状況演出プログラム等が記憶されている。
【００２１】
また、上記メモリ１５には、上記音楽プレーヤプログラムに基づいて再生される音楽データ、ユーザの予定が入力されたスケジュール帳、ユーザの友人等の電話番号や電子メールアドレス等が記憶された電話帳、発着信した電子メールのデータ、発着信した電話や電子メールの履歴（発着信履歴）の他、上記通話状況の演出を行う際に用いられる重畳音データ、及び重畳画像データが記憶されている。
【００２２】
［通話状況演出設定］
このような実施の形態の携帯電話機においては、予め指定しておいたユーザから電話着信があった場合、そのユーザに対して送信する送話音声に所定の重畳音声を重畳して送信し、或いは予め指定しておいたユーザからテレビ電話着信があった場合、そのユーザに対して送信する送話音声に所定の重畳音声を重畳して送信すると共に、送信画像に所定の重畳画像を重畳して送信することで、着信を受けたユーザの通話状況を演出することが可能となっている。
【００２３】
〔処理対象ユーザの設定〕
この通話状況の演出を行う場合、まず、処理対象となるユーザを設定する。具体的には、メモリ１５に記憶されている電話帳には、各ユーザの電話番号及び電子メールアドレスの入力欄の他、例えば「友人」、「会社」等の、その人物が属するグループの登録を行うグループ登録欄や、通話状況の演出を行うか否かを指定するための通話状況演出指定欄が設けられている。
【００２４】
当該携帯電話機のユーザは、操作部６を操作することで、メモリ１５の電話帳に登録されている各ユーザの中から、この通話状況の演出を行うユーザを選択して指定する。この指定がなされると、制御部１６は、当該指定されたユーザの上記通話状況演出指定欄に、通話状況の演出を行うユーザに指定されたことを示す所定のアイコンを表示すると共に、メモリ１５に記憶されている電話帳に、通話状況の演出を行うユーザに指定されたことを示すフラグを立てる。これにより、処理対象となるユーザの設定が完了する。
【００２５】
（処理対象グループ設定）
この説明では、各ユーザ個人毎に通話状況の演出を行うか否かを指定することとしたが、上記グループ毎に通話状況の演出を行うか否かを指定してもよい。例えば、ユーザにより、「友人」のグループに対して通話状況の演出を行う指定がなされた場合、制御部１６は、電話帳に登録されている各ユーザのうち、「友人」のグループに属する全てのユーザを当該処理対象として認識して前述のフラグを立てることとなる。
【００２６】
〔処理対象エリアの設定〕
次にユーザは、通話状況の演出を実行する地理的範囲の設定を行う。この場合、ユーザは、メモリ１５に予め記憶されている地図情報、或いは所定のネットワーク上のサーバ装置からダウンロードした地図情報を表示部５に表示操作し、この地図情報に基づいて、通話状況の演出を実行する地理的範囲を指定する。制御部１６は、この地理的範囲の指定がなされると、この指定された地理的範囲に対応する緯度及び経度を記憶し、指定範囲情報としてメモリ１５に記憶制御する。
【００２７】
〔重畳出力の設定〕
次にユーザは、通話状況の演出を行う際に、送話音声に重畳する重畳音声、及び（又は）、送信画像に重畳する重畳画像である重畳出力の設定を行う。制御部１６は、ユーザにより、操作部６を介してこの重畳出力の設定が指定されると、例えば図２に示すような重畳出力の設定画面を表示部５に表示制御する。
【００２８】
図２からわかるように、この重畳出力の設定画面には、時間帯の入力欄と、各時間帯に対応する重畳出力の入力欄とが設けられている。
【００２９】
また、メモリ１５には、例えば一般的なオフィス内の環境音、電車内の環境音、街頭の環境音、電波状況が悪い場所で通話を行った際に混在するノイズ音等の重畳音データが記憶されている。また、メモリ１５には、オフィス内の背景画像、電車内の背景画像、街頭の背景画像等の重畳画像データが記憶されている。
【００３０】
ユーザは、上記重畳出力の設定画面に対して、所望の時間帯を入力して設定すると共に、各時間帯に対応する重畳出力を、上記メモリ１５に記憶されている重畳音データや重畳画像データの中から選択する。
【００３１】
これにより、図２に示すように、例えば
０９：００〜２０：００  職場の環境音
２０：０１〜２２：００  電車内の環境音
２２：０１〜２２：３０  街頭の環境音
２２：３１〜００：００  電波状況の悪い場合のノイズ音
等のように所望の時間帯に対して所望の重畳音声が設定されることとなる。制御部１６は、この設定された時間帯を示す情報及び該各時間帯に対応する重畳音声を示す情報を図１に示す重畳出力テーブル１４に記憶制御する。
【００３２】
なお、図２は、電話着信用として、各時間帯と共に重畳音声を設定した例であるが、テレビ電話着信用としては、各時間帯と共に重畳音声及び重畳画像が設定されることとなる。この場合、ユーザは、上述と同様に各時間帯を設定すると共に、メモリ１５に記憶されている重畳音データ及び重畳画像データの中から、各時間帯に重畳音声及び重畳画像を選択して設定する。制御部１６は、この設定された時間帯を示す情報及び該各時間帯に対応する重畳音声及び重畳画像を示す情報を上記重畳出力テーブル１４に記憶制御することとなる。
【００３３】
また、この例では、デフォルトとしてメモリ１５に記憶されている重畳音データ及び重畳画像データの中から所望の重畳音データや重畳画像データを選択することとしたが、ユーザがマイクロホン部４を介して集音した所望の音声を上記重畳音データとしてメモリ１５に録音しておき、或いはユーザがカメラ部８を介して撮像した所望の画像を上記重畳画像データとしてメモリ１５に記憶しておき、このユーザが録音した音声或いはユーザが撮像した画像を、上記重畳音データ或いは重畳画像データとして用いるようにしてもよい。
【００３４】
また、この例では理解を容易とするために、図１上に重畳出力テーブル１４とメモリ１５とを別々に示したが、メモリ１５内に重畳出力テーブル１４が設けられている構成としてもよい（＝重畳出力テーブル１４とメモリ１５とを物理的に一つのメモリとしてもよい。）。
【００３５】
［通話状況演出動作］
次に、このような各設定が完了すると、制御部１６は、上記通話状況の演出を行うユーザとして指定されたユーザからの着信があった場合に、図１のメモリ１５に記憶されている通話状況演出プログラムに基づいて、図３のフローチャートに示す通話状況演出処理を実行制御する。
【００３６】
この図３のフローチャートは、制御部１６が電話着信或いはテレビ電話着信を検出したタイミングで処理をスタートさせる。
【００３７】
ステップＳ１では、制御部１６が、着信した電話或いはテレビ電話の電話番号に基づいて、着信した電話或いはテレビ電話を掛けてきたユーザは、当該通話状況演出処理の処理対象として指定されているユーザであるか否かを判別する。
【００３８】
具体的には、制御部１６は、着信した電話或いはテレビ電話の電話番号が、メモリ１５の電話帳に登録されているか否かを判別し、該電話帳に登録されていた場合、その電話番号に対応するユーザに対して、通話状況の演出を行うユーザに指定されたことを示すフラグが立っているか否かを判別する。そして、上記フラグが立っていた場合、着信した電話或いはテレビ電話を掛けてきたユーザは、通話状況の演出を行うユーザに指定されているため、処理をステップＳ２に進める。
【００３９】
なお、通話状況の演出を行うユーザに指定されたことを示すフラグが上記電話帳に立っていない場合、通話状況の演出を行うユーザ以外のユーザからの電話着信或いはテレビ電話着信であることを示すため、制御部１６はステップＳ８に処理を進め、通話状況の演出を実行することなく通常の通話処理を行う。そして、ステップＳ９で通話終了を検出したタイミングで、当該図３のフローチャートを終了する。
【００４０】
また、着信した電話或いはテレビ電話の電話番号が非通知である場合も同様であり、制御部１６はステップＳ８に処理を進めて、通話状況の演出を実行することなく通常の通話処理を行う。そして、ステップＳ９で通話終了を検出したタイミングで、当該図３のフローチャートに示す各処理を終了する。
【００４１】
次に、処理対象のユーザからの着信であるとして処理をステップＳ２に進めると、制御部１６は、ＧＰＳアンテナ１０及びＧＰＳユニット１１で検出された当該携帯電話機の現在位置の取り込みを行う。そして、メモリ１５に記憶されている指定範囲情報で示される指定範囲内に、上記検出された現在位置が属するか否かを判別する。
【００４２】
なお、この例では、ＧＰＳアンテナ１０及びＧＰＳユニット１１で当該携帯電話機の現在位置を検出することとして説明を進めるが、これは基地局から送信される位置情報に基づいて当該携帯電話機の現在位置を検出してもよい。この場合、ＧＰＳアンテナ１０及びＧＰＳユニット１１を省略することができ、当該携帯電話機の構成を簡略化することができる。
【００４３】
上記検出された現在位置が上記指定範囲内に属していないものと判別した場合、制御部１６は処理をステップＳ８に進め、処理対象となるユーザからの着信であっても、通話状況の演出を実行することなく通常の通話処理を行う。そして、ステップＳ９で通話終了を検出したタイミングで、当該図３のフローチャートを終了する。
【００４４】
これに対して、上記検出された現在位置が上記指定範囲内に属しているものと判別した場合、制御部１６は処理をステップＳ３に進め、タイマ１２でカウントされている現在時刻を取り込み、この現在時刻に基づいて重畳出力テーブル１４を参照する。そして、重畳出力テーブル１４から、現在時刻が属する時間帯に対して設定されている重畳出力を検出して処理をステップＳ４に進める。
【００４５】
処理がステップＳ４に進むと通話状況演出処理が開始となり、制御部１６は、ステップＳ５において周囲環境除去処理部１３を介して、マイクロホン部４で集音される音声のうち、周囲の雑音に対する音声を除去処理してステップＳ６に処理を進める。
【００４６】
具体的には、マイクロホン部４で集音されたユーザの送話音声、及びこの送話音声に混入する周囲の環境音は周囲環境除去処理部１３に供給される。一例ではあるが、この周囲環境除去処理部１３には、周囲の環境音に対応する周波数帯域の音声を除去処理するフィルタ回路が設けられている。周囲環境除去処理部１３は、このフィルタ回路により上記周囲の環境音に対応する周波数帯域の音声を送話音声から除去処理することでユーザの送話音声のみを抽出する。
【００４７】
或いは、上記着信がテレビ電話着信であった場合、周囲環境除去処理部１３は、マイクロホン部４で集音された音声から、上記周囲の環境音を除去処理してユーザの送話音声のみを抽出すると共に、カメラ部８で撮像された画像から背景画像を除去処理して、当該ユーザの画像のみを抽出する。
【００４８】
次に、制御部１６は処理をステップＳ６に進め、上記ステップＳ３において上記重畳出力設定テーブル１４から検出された、現在時刻が属する時間帯に対して設定されている重畳出力をメモリ１５から読み出し、この重畳出力を重畳処理した送信情報を送信するように通信回路２及びアンテナ１を送信制御し、処理をステップＳ７に進める。
【００４９】
すなわち、ステップＳ１で検出された処理対象となるユーザからの着信が電話着信である場合、制御部１６は、現在時刻が属する時間帯に対して設定されている重畳音データをメモリ１５から読み出し、この重畳音データを、上記周囲環境除去処理部１３で周囲環境音が除去処理されたユーザの送話音声に重畳処理し、これを送信するように通信回路２及びアンテナ１を送信制御する。
【００５０】
これにより、当該携帯電話機のユーザの通話相手となるユーザ（この場合、電話を掛けてきたユーザ）は、当該携帯電話機のユーザとの通話の中で、当該携帯電話機のユーザが選択した環境音等を聴くこととなる。従って、当該携帯電話機のユーザは、所望の通話状況を演出することができる。
【００５１】
また、ステップＳ１で検出された処理対象となるユーザからの着信がテレビ電話着信である場合、制御部１６は、現在時刻が属する時間帯に対して設定されている重畳音データ及び重畳画像データをメモリ１５から読み出し、このメモリ１５から読み出した重畳音データを、上記周囲環境除去処理部１３で周囲環境音が除去処理されたユーザの送話音声に重畳処理すると共に、メモリ１５から読み出した重畳画像データを、当該テレビ電話通話時に上記カメラ部８で撮像される撮像画像の例えば背景画像として重畳処理し、これらを送信するように通信回路２及びアンテナ１を送信制御する。
【００５２】
これにより、当該携帯電話機のユーザの通話相手となるユーザ（この場合、電話を掛けてきたユーザ）は、当該携帯電話機のユーザとのテレビ電話通話の中で、当該携帯電話機のユーザが選択した環境音等を聴くと共に、当該携帯電話機のユーザの画像と共に、当該ユーザが選択した環境画像を背景としたユーザの顔等の画像を見ることとなる。従って、テレビ電話通話においても、当該携帯電話機のユーザは所望の通話状況を演出することができる。
【００５３】
次に制御部１６は、このような通話状況の演出処理を実行制御しながら、ステップＳ７において通話の終了を監視する。そして、通話中はステップＳ４〜ステップＳ６の通話状況の演出処理を継続して実行制制し、通話の終了を検出したタイミングで、当該図３のフローチャートを終了する。
【００５４】
［実施の形態の効果］
以上の説明から明らかなように、本発明の実施の形態となる携帯電話機は、通話状況の演出処理の対象として指定されたユーザからの着信があった場合、予め指定しておいた通話状況を演出するための重畳出力を送話音声や送信画像に重畳して送信する。これにより、電話やテレビ電話を掛けてきた相手のユーザに対して、所望の通話状況を擬似的に演出することができ通話をより楽しいものとすることができる。
【００５５】
［変形例１］
上述の実施の形態の説明では、着信時に通話状況の演出処理を実行することとしたが、発信時に上述の通話状況の演出処理を実行するようにしてもよい。この場合、制御部１６は、発信が指定されたタイミングで、この発信を行う電話番号をメモリ１５の電話帳から検出する。発信を行う電話番号が上記電話帳に登録されており、そのユーザが、通話状況の演出処理を行うユーザとして指定されている場合、発信を行う時刻が属する時間帯に対して設定されている重畳出力をメモリ１５から読み出し、これを送信出力に重畳して出力する。これにより、電話やテレビ電話を掛ける相手のユーザに対して、所望の通話状況を擬似的に演出することができる他、上述と同様の効果を得ることができる。
【００５６】
［変形例２］
上述の実施の形態の説明では、通話状況の演出処理を実行する地理的範囲を予め指定しておき、当該携帯電話機の現在位置が、この指定した地理的範囲内に属していた場合に、上述の通話状況の演出処理を実行することとしたが、当該携帯電話機の現在位置が上記指定した地理的範囲内に属しているか否かの判別を行うことなく（＝図３のフローチャートのステップＳ２における処理を行うことなく）、上述の通話状況の演出処理を実行するようにしてもよい。この場合、処理対象となるユーザからの着信（或いは発信）があった場合、当該携帯電話機の現在位置にかかわらず上述の通話状況の演出処理を実行することとなる。
【００５７】
［変形例３］
上述の実施の形態の説明では、重畳出力（上記重畳音データや上記重畳画像データ）はユーザが任意に設定することとしたが、これは、制御部１６が、メモリ１５に記憶されている発着信した電子メールからキーワードを検出し、或いはメモリ１５に記憶されているスケジュール帳からキーワードを検出し、このキーワードに対応する重畳出力を重畳出力設定テーブル１４に対して自動的に設定してもよい。
【００５８】
例えば、メモリ１５に記憶されている発着信した電子メールに「明日の午前１０時から正午１２時まで会議です」等の文章が記載されていた場合、制御部１６は、「明日の午前１０時から正午１２時まで」の文章から日時を示すキーワードを検出することができ、「会議があります」の文章から「会議」のキーワードを検出することができる。
【００５９】
或いは、メモリ１５に記憶されているスケジュール帳に「会議」との文字が記載されていた場合、制御部１６は、この「会議」とのキーワードが記載されているスケジュール帳の日時に会議が行われることを検出することができる。
【００６０】
このため、制御部１６は、この電子メールの発着信日時の次の日の午前１０時から正午１２時までを「時間帯」として重畳出力設定テーブル１４に自動的に設定し、或いは「会議」との文字が記載されているスケジュール帳の日時から例えば２時間の間を「時間帯」として重畳出力設定テーブル１４に自動的に設定すると共に、この時間帯に対応する重畳出力として「オフィスの音」や「オフィスの画像」を重畳出力設定テーブル１４に自動的に設定する。
【００６１】
これにより、この設定した時間帯に、処理対象となるユーザからの着信（或いは発信）があった場合、この自動的に設定された「オフィスの音」や「オフィスの画像」を送話音声等に重畳して送信することができ、通話相手となるユーザに対して擬似的に会議中であることを演出することができる。
【００６２】
［変形例４］
上述の実施の形態の説明では、当該通話状況の演出処理の対象となるユーザを、当該携帯電話機のユーザがマニュアル的に設定することとしたが、これは、電子メールや電話の発着信数の多いユーザを、当該通話状況の演出処理の対象となるユーザとして自動的に設定してもよい。
【００６３】
この場合、制御部１６は、発着信した電子メールのうち、同じ電子メールアドレスを有する電子メールをカウントし、このカウント数が所定数以上の電子メールアドレスを検出する。そして、メモリ１５の電話帳から、上記カウント数が所定数以上の電子メールアドレスを使用しているユーザを検出し、このユーザを、上述の通話状況の演出処理の対象ユーザとして自動的に設定する。
【００６４】
同様に、制御部１６は、メモリ１５に記憶されている電話の発着信履歴に基づいて、同じ電話番号に対して電話を掛けた回数をカウントし、このカウント数が所定数以上の電話番号を検出する。そして、メモリ１５の電話帳から、上記カウント数が所定数以上の電話番号を使用しているユーザを検出し、このユーザを、上述の通話状況の演出処理の対象ユーザとして自動的に設定する。
【００６５】
これにより、頻繁に電話や電子メールの発着信のあるユーザを、上述の通話状況の演出処理の対象ユーザとして自動的に設定することができ、該対象ユーザをマニュアルで設定する面倒な作業を省略可能とすることができる。
【００６６】
［変形例５］
上述の実施の形態の説明では、本発明を携帯電話機に適用することとしたが、本発明は、この携帯電話機の他、ＰＨＳ電話機（PHS：Personal Handyphone System）、ＰＤＡ装置（PDA：Personal Digital Assistant）やノート型のパーソナルコンピュータ装置等の他の携帯端末装置に適用してもよい。この場合でも、上述と同様の効果を得ることができる。
【００６７】
最後に、上述の実施の形態は、あくまでも本発明の一例として開示したに過ぎないため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００６８】
【図１】本発明を適用した実施の形態となる携帯電話機のブロック図である。
【図２】実施の形態の携帯電話機に設けられている重畳出力設定テーブルに設定される時間帯及び重畳出力の一例を示す図である。
【図３】実施の形態の携帯電話機の通話状況の演出処理の流れを示すフローチャートである。
【符号の説明】
【００６９】
１  アンテナ、２  通信回路、３  スピーカ部、４  マイクロホン部、５  表示部、６  操作部、７  発光部（ＬＥＤ）、８  カメラ部、９  バイブレーションユニット、１０  ＧＰＳアンテナ、１１  ＧＰＳユニット、１２  タイマ、１３  周囲環境除去処理部、１４  重畳出力設定テーブル、１５  メモリ、１６  制御部
【図１】
2007110255.tif 000003
【図２】
2007110255.tif 000004
【図３】
2007110255.tif 000005